(57)【要約】【課題】  調理時に発生する熱気を煙や臭いの度合いに関係なく、屋外へ排気される熱気を有効に利用する、構造が簡単なＶＯＣ除去機能付きレンジフードを提供する。【解決手段】  レンジフード内にＶＯＣ吸着手段を設けて、ＶＯＣ除去運転時は吸気した屋内の空気をＶＯＣ吸着手段によりＶＯＣを除去して屋内へ排気し、ＶＯＣ再生運転時は吸気した加熱調理機器運転時に発生する熱気を、ＶＯＣ吸着手段の加熱再生に利用することで、煙や臭いの度合いに関係なく、屋外へ排気される熱気を有効に利用することができる。【選択図】  図１
2006266608.tif 000002
【特許請求の範囲】
【請求項１】
屋内から吸気した空気が流入する吸気口と、
前記吸気口から吸気した空気が分岐されて屋内又は屋外に流れる流路部と、
前記吸気口から吸気した空気が屋内又は屋外の何れか一方に流れるように流路を切替える流路切替手段と、
前記流路部内の空気の流れに関して、前記流路切替手段の上流側に配置したＶＯＣ吸着手段と、
前記流路部内の空気の流れに関して、前記流路切替手段の上流側に配置した送風手段と、
前記流路切替手段の作動を制御する制御装置と、
を備えたＶＯＣ除去機能付きレンジフードであって、
加熱調理機器使用時に発生する熱気を前記ＶＯＣ吸着手段の加熱再生に利用することを特徴とするＶＯＣ除去機能付きレンジフード。
【請求項２】
前記流路切替手段は、
空気中に含まれるＶＯＣを除去する時（ＶＯＣ除去運転時）は前記吸気口から吸気した空気を屋内へ排出し、前記ＶＯＣ吸着手段に吸着したＶＯＣを脱着して吸着することができる状態に戻す時（ＶＯＣ再生運転時）は前記吸気口から吸気した空気を屋外へ排出するように空気の流路を切替えることを特徴とする
請求項１記載のＶＯＣ除去機能付きレンジフード。
【請求項３】
ＶＯＣ除去機能付きレンジフードは加熱調理機器の上方に配置されたことを特徴とする、請求項１又は２記載のＶＯＣ除去機能付きレンジフード。
【請求項４】
前記加熱調理機器の使用を検知する検知手段と、
前記検知手段に基づいてＶＯＣ除去運転或いはＶＯＣ再生運転を行うことを特徴とする、
請求項１乃至３の何れかに記載のＶＯＣ除去機能付きレンジフード。
【発明の詳細な説明】
【技術分野】
【０００１】
本発明は、ホルムアルデヒド、アセトアルデヒド、トルエン、キシレン等の揮発性有機化合物（ＶＯＣ）を除去する機能を持つＶＯＣ除去機能付きレンジフードに関する発明である。 
【背景技術】
【０００２】
特許文献１には、建物の外観や美観を損ねず、近隣の家や近所を通過する人に臭気を撒き散らして不快感を与えず、さらに室内美観も損なわないために、オゾン発生器と、イオン発生器と、空気を浄化するフィルタと、エアーカーテン等で構成された、排気ダクトを必要としない循環型の空気清浄器を備えたレンジフードが記載されている。 
【０００３】
特許文献２には、レンジフードに流入する煙や臭いが少ない熱を持った空気を室内に暖気として戻し、従来無駄に排気されていた熱気を室内暖房に有効利用することを特徴とするレンジフードが記載されている。
【０００４】
特許文献３には、空気中のＶＯＣの除去を行うために、吸気した空気中のＶＯＣを吸着処理後、加熱によって分解除去を行い、吸気した空間へ排気する空気循環型の空気清浄機が記載されている。 
【特許文献１】特開２００３−１１４０４１号公報
【特許文献２】特開平５−２３１６８８号公報
【特許文献３】特開平１０−３１４５４２号公報
【発明の開示】
【発明が解決しようとする課題】
【０００５】
特許文献１のレンジフードは、空気清浄化のために、オゾン発生器と、イオン発生器と、空気を浄化するフィルタ等の空気清浄機能の付いた装置を組合わせて構成されている。
【０００６】
特許文献１のレンジフードは、屋内から吸入した空気を完全に空気清浄化して屋内へ排出するレンジフードである。そのため、このレンジフードに搭載される各々の空気清浄装置のサイズは、一般的に家庭のレンジフードに求められる換気流量約４００立方メートル毎時の能力から考えて大型化は避けられず、スペースをとってしまう問題があった。
そして、このレンジフードの最大の課題は、屋内より吸気した空気を完全に空気清浄化をして屋内へ戻すために、複数の装置を組合わせなければならず、前記した大型化だけでなく、製造コスト、消費電力も高くなり、さらに製品化する上では構造も複雑になってしまう問題があった。
【０００７】
特許文献２のレンジフードは、レンジフードに流入する煙や臭いが少ない熱を持った空気を室内に暖気として戻し、煙や臭いの多い熱を持った空気は排気路から室外へ排気している。そのため、レンジフードに流入する煙や臭いの度合いによっては、熱気の有効利用を行うことができない問題があった。
【０００８】
特許文献３の空気清浄機は、ＶＯＣの吸着手段と吸着手段を加熱する加熱手段と、加熱により吸着手段から脱離されるＶＯＣを分解する分解手段の３手段を順番に空気が通過或いは循環することにより構成されている。そのため、吸着後の脱離時は高濃度のＶＯＣを含む汚染度の高い空気が発生する。この汚染度の高い空気を分解除去する手段を備えているが、構成上、分解除去手段では分解できずに通過する、或いは脱離したＶＯＣの量が分解できる量に追いつかなくなる場合があり、吸気した空間に汚染度の高い空気を排気する問題があった。また、短時間とはいえ高温のＶＯＣ除去後の空気が吸気した空間に戻されるため、吸気した空間の温度上昇を引き起こし、使用者に特に夏場は不快感を与える問題があった。更に、このような空気清浄機は、設置する部屋の広さに応じて様々なの大きさのものがあるが、設置する場合、その分だけ部屋が狭くなってしまい、家具やインテリア等を設置する際の自由度が小さくなってしまう問題があった。
【０００９】
本発明は前記課題に鑑みてなされたものであり、簡易な構造で製造コストを下げて、また、調理時に発生する熱気を煙や臭いの度合いに関係なく熱気の有効利用することでＶＯＣ除去に必要なエネルギーを少なくし、更には換気による熱負荷（換気負荷）を少なくすることを目的としている。
【課題を解決するための手段】
【００１０】
前記課題を解決するために、請求項１に記載した発明にあっては、屋内から吸気した空気が流入する吸気口と、前記吸気口から吸気した空気が分岐されて屋内又は屋外に流れる流路部と、前記吸気口から吸気した空気が屋内又は屋外の何れか一方に流れるように流路を切替える流路切替手段と、前記流路部内の空気の流れに関して、前記流路切替手段の上流側に配置したＶＯＣ吸着手段と、前記流路部内の空気の流れに関して、前記流路切替手段の上流側に配置した送風手段と、前記流路切替手段の作動を制御する制御装置と、を備えたＶＯＣ除去機能付きレンジフードであって、加熱調理機器使用時に発生する熱気を前記ＶＯＣ吸着手段の加熱再生に利用することを特徴とする、ＶＯＣ除去機能付きレンジフードを提供する。
【００１１】
本発明の好ましい態様にあっては請求項２に記載したように、流路切替手段は、空気中に含まれるＶＯＣを除去する時（ＶＯＣ除去運転時）は前記吸気口から吸気した空気を屋内へ戻すために流路を排気口へ切替え、ＶＯＣ吸着手段に吸着したＶＯＣを脱着して吸着することができる状態に戻す時（ＶＯＣ再生運転時）は前記吸気口より吸気した空気を屋外へ排気するために流路を排気ダクトへ切替えることを特徴とする、請求項１記載のＶＯＣ除去機能付きレンジフードを提供する。
【００１２】
本発明の好ましい態様にあっては請求項３に記載したように、調理時に発生する熱気をできるだけ多く回収するために、加熱調理機器の上方に配置したことを特徴とする、請求項１又は２記載のＶＯＣ除去機能付きレンジフードを提供する。
【００１３】
本発明の好ましい態様にあっては請求項４に記載したように、加熱調理機器の使用を検知する検知手段と、前記検知手段に基づいてＶＯＣ除去運転或いはＶＯＣ再生運転を行うことを特徴とする、請求項１乃至３何れかに記載のＶＯＣ除去機能付きレンジフードを提供する。
【発明の効果】
【００１４】
請求項１に係る発明にあっては、従来、送風手段の作動に伴って屋外へ排気されていた加熱調理機器運転時に発生する熱気を、レンジフードに流入する煙や臭いの度合いに関係なく、ＶＯＣ吸着手段の再生に有効に利用することができる。また、構成する部品が少なく、構造も簡単であるため、製造コストを低く抑えることができる。
【００１５】
請求項２に係る発明にあっては、ＶＯＣ除去運転時は屋内から吸気した空気を屋内へ戻すように流路を切替え、ＶＯＣ再生運転時は屋内から吸気した空気を屋外へ排出するように流路を切替えるため、ＶＯＣ吸着手段より脱着したＶＯＣを屋内へ戻すことを防ぐことができる。
【００１６】
請求項３に係る発明にあっては、加熱調理機器使用時に発生する熱気をできるだけ多く回収して、ＶＯＣ吸着手段の再生に有効に利用することができるので、屋内で拡散或いは屋外へ排気されて無駄になるエネルギーを少なくすることができる。
【００１７】
請求項４に係る発明にあっては、ＶＯＣ吸着手段の加熱再生に利用する熱気の発生を検知するために、加熱調理機器の運転を検知する検知手段を設けて、その検知情報に基づいてＶＯＣ除去運転及びＶＯＣ再生運転を行うことで、加熱調理機器の使用者の手を煩わせること無く、自動的にレンジフードの運転状態を切替えることができる。
【発明を実施するための最良の形態】
【００１８】
以下、本発明の実施の形態例について、図面を参照しつつ、本発明を詳細に説明する。
【実施例１】
【００１９】
図１乃至図５は本発明の実施の第１乃至第３形態例に係る、ＶＯＣ除去機能付きレンジフードの構成及び設置位置の関係を示した図である。
【００２０】
本形態例に係るＶＯＣ除去機能付きレンジフード１は、図１乃至図３に示すように、屋内から吸気した空気が流入する吸気口４と、前記吸気口４から吸気した空気が屋内へ排出される排気口１１と、前記吸気口４から吸気した空気が前記排気口１１又は屋外と繋がる排気ダクトに流れる流路部６と、前記排気口１１又は屋外と繋がる排気ダクトの何れか一方に、吸気した空気が流れるように流路を切替える流路切替手段５と、前記流路部６内の流れに関して、前記流路切替手段５の上流に配置したＶＯＣ吸着手段２と、前記流路部６内の流れに関して、前記流路切替手段５の上流に配置した送風手段３と、前記流路切替手段５の作動を制御する制御装置１２とを備えている。
【００２１】
本形態例に係るＶＯＣ除去機能付きレンジフード１は、図１に示すように制御装置１２に接続された操作パネル１３が備えられている。本発明の好ましい形態例としては、使用者が前記操作パネル１３で、ＶＯＣ除去運転を常時連続的に行う或いは断続的に行うかを選択して操作できると良い。また、ＶＯＣ除去運転を行っている最中であっても、加熱調理機器使用時のように屋内の空気を換気したい時は、ＶＯＣ除去運転を強制的に停止させて、ＶＯＣ再生運転及び／又は換気運転を行うように操作できると良い。  
【００２２】
本形態例に係るＶＯＣ除去機能付きレンジフード１は、図２に示すようにＶＯＣ除去運転時において、流路切替手段５は屋内空気８を吸気口４より取り入れて、ＶＯＣ吸着手段２を通過させて屋内空気中のＶＯＣを除去した後、排気口１１より屋内へ排気（屋内排気９）するように流路を切替える。
尚、図示していないが、前記ＶＯＣ吸着手段２に油、埃等の不純物が付着して、ＶＯＣ吸着量が減少しないように、前記吸気口４には、臭い成分、油、水分、埃等の不純物を捕集するフィルターを配置すると良い。同様に、前記排気口１１にも前記フィルターを配置すると屋内排気９はより臭気を回収されるので、屋内にいる人に不快感を与えなくて良い。また、前記フィルターは一枚に限らず、前記した効果を上げるために複数枚使用しても良い。
【００２３】
本形態例に係るＶＯＣ除去機能付きレンジフード１は、図３に示すようにＶＯＣ再生運転時において、流路切替手段５は加熱調理機器使用時の熱気８ａを吸気口４より取り入れて、ＶＯＣ吸着手段２を通過させてＶＯＣ吸着手段２に吸着したＶＯＣを加熱調理機器使用時の熱気８ａを用いて脱着した後、排気ダクトへ流して、屋外へ排気（屋外排気１０）するように流路を切替える。
尚、図示していないが、前記ＶＯＣ吸着手段２に油、埃等の不純物が付着して、ＶＯＣ吸着量が減少しないように、前記吸気口４には、臭い成分、油、水分、埃等の不純物を捕集するフィルターを配置すると良い。同様に、前記排気口１１にも前記フィルターを配置すると屋内排気９はより臭気を回収されるので、ＶＯＣ除去運転時において、屋内にいる人に不快感を与えなくて良い。
尚、前記フィルターは一枚に限らず、前記した効果を上げるために複数枚使用しても良い。
【００２４】
本形態例に係るＶＯＣ除去機能付きレンジフード１は、図４及び図５に示すように、加熱調理機器使用時に発生する熱気をできるだけ回収して、ＶＯＣ吸着手段２の再生を行うために、本発明の設置位置は加熱調理機器の上方が良い。
尚、本実施例では前記加熱調理機器の一例としてＩＨクッキングヒーター１４又は前記ガスコンロ１４ａを記載している。
最良の形態としては、前記ＩＨクッキングヒーター１４又は前記ガスコンロ１４ａの真上にあることが望ましい。真上であっても前記ＩＨクッキングヒーター１４又は前記ガスコンロ１４ａと前記ＶＯＣ除去機能付きレンジフード１の吸気口４の間に距離がありすぎると、調理器具１５から発生する加熱調理機器使用時の熱気８ａが拡散或いは低温化してしまうので、一般的な家庭で使用する場合、これらの間の距離は油・水蒸気等不純物及び熱気の捕集効率が極端に下がる２メートル以上開けないことが望ましい。
【００２５】
前記ＶＯＣ吸着手段２に用いられる基材及びそれに担持する吸着剤として、基材にはハニカム状のセラミックペーパー、吸着剤にはゼオライト、シリカゲル、活性アルミナ、活性炭を用いることが望ましい。  
尚、ＶＯＣ吸着手段２の基材及び吸着剤は上記したものに限らない。
【００２６】
本形態例に係るＶＯＣ除去機能付きレンジフードは、図５に示すようにキッチン１７内に加熱調理機器の運転を検知する検知手段１６を備えている。
最良の形態としては、ＩＨクッキングヒーター１４又はガスコンロ１４ａ内に前記検知手段１６を設けて、その検知手段の情報を赤外線及び電波等の無線の情報伝達手段を用いてＶＯＣ除去機能付きレンジフード１と前記ＩＨクッキングヒーター１４又は前記ガスコンロ１４ａの運転を連動させることが望ましい。
【００２７】
本形態例に係るＶＯＣ除去機能付きレンジフード１は、上述のように構成され作用するため、本発明を設置するだけで、屋内の空気中に含まれるＶＯＣを吸着除去して空気を清浄化することが可能となり、さらに吸着したＶＯＣは、これまで捨てられていた排気熱によって再生を行うので、熱エネルギーの無駄を無くすと同時に有効に利用することができる。
尚、ＶＯＣ再生運転時を除くＶＯＣ除去運転時は、屋内の空気を循環させてＶＯＣ除去を行うため、屋外へ屋内の熱エネルギーが放出されることがなく経済的であり、さらに屋外から吸気を行わないので、屋外の空気中に含まれる埃等の塵芥やＶＯＣ等を屋内へ吸気させることがない。
尚、ＶＯＣ除去機能付きレンジフードとは別にＶＯＣ除去機能を備えた空気清浄機を置く必要がなくなるため、屋内の利用スペースを増大させるとともに、家具やインテリア設置の自由度を増大させることが可能となる。
尚、加熱調理機器の運転を検知する検知手段に基づいて、ＶＯＣ除去機能付きレンジフードを作動させることにより、加熱調理機器の使用者の手を煩わせること無く、自動的にレンジフードの空気清浄運転を切替えることができる。
【実施例２】
【００２８】
本形態例に係るＶＯＣ除去機能付きレンジフード１は、図２及び図３に破線で示すように実施例１に記載したレンジフードにおいて、ＶＯＣ吸着手段２に吸着したＶＯＣを脱着して吸着可能な状態に再生する再生手段７を配置している。
【００２９】
本形態例に係るＶＯＣ除去機能付きレンジフードの再生手段７は加熱調理機器使用時の熱気８ａをさらに加熱するニクロム線ヒーターやＰＴＣヒーター等の加熱装置（ヒーター）であることが望ましい。
尚、吸着剤を担持させる基材にハニカム状の電磁波吸収材を使用する場合は、再生手段７は上記した加熱装置ではなく電磁波発生装置を用いると良い。
【００３０】
本形態例に係るＶＯＣ除去機能付きレンジフード１は、上述のように構成され作用するため、加熱調理機器の運転時に発生する熱気の温度に関わらず、安定したＶＯＣ吸着手段２の脱着を行うことが出来る。
【実施例３】
【００３１】
本形態例に係るＶＯＣ除去機能付きレンジフード１は、図２及び図３に示すように実施例１に記載したレンジフードにおいて、ＶＯＣ吸着手段２に代わりＶＯＣ吸脱着手段２ａを配置している。
【００３２】
本形態例に係るＶＯＣ除去機能付きレンジフード１のＶＯＣ吸脱着手段は、例えばＶＯＣ吸着剤を担持している基材に通電すると発熱する電気抵抗体を組込み、その発熱によりＶＯＣ吸脱着手段に吸着したＶＯＣを脱着させる再生手段を備えたものである。
【００３３】
本形態例に係るＶＯＣ除去機能付きレンジフード１は、上述のように構成され作用するため、部品点数が少なくなるのでレンジフードを小型化することができ、さらに、吸着剤に吸着したＶＯＣに直接熱を与えることができるため、ＶＯＣ再生運転に要する消費電力を少なくすることができる。
【産業上の利用可能性】
【００３４】
本発明に係るＶＯＣ除去機能付きレンジフードは、家屋のキッチンだけに限らず、熱を帯びた空気が発生する場所で、局所排気及び屋内空気の換気更に空気清浄を必要とする場所に適用することができる。
【図面の簡単な説明】
【００３５】
【図１】本発明の実施の第１又は第２又は第３形態例を示す斜視図である。
【図２】本発明の実施の第１又は第２又は第３形態例を示す、ＶＯＣ除去運転時の断面図である。
【図３】本発明の実施の第１又は第２又は第３形態例を示す、ＶＯＣ再生運転時の断面図である。
【図４】本発明の実施の第１及び第２及び第３形態例に係る、加熱調理機器使用時の熱を帯びた空気の流れと、ＶＯＣ除去機能付きレンジフード及びキッチンの構成を示す断面図である。
【図５】本発明の実施の第１及び第２及び第３形態例に係る、加熱調理機器使用時の熱を帯びた空気の流れと、ＶＯＣ除去機能付きレンジフード及びキッチンの構成を示す正面図である。
【符号の説明】
【００３６】
１…ＶＯＣ除去機能付きレンジフード
２…ＶＯＣ吸着手段
２ａ…ＶＯＣ吸脱着手段
３…送風手段
４…吸気口
５…流路切替手段
６…流路部
７…再生手段
８…屋内空気
８ａ…加熱調理機器使用時の熱気
９…屋内排気
１０…屋外排気
１１…排気口
１２…制御装置
１３…操作パネル
１４…ＩＨクッキングヒーター
１４ａ…ガスコンロ
１５…調理器具
１６…検知手段
１７…キッチン
【図１】
2006266608.tif 000003
【図２】
2006266608.tif 000004
【図３】
2006266608.tif 000005
【図４】
2006266608.tif 000006
【図５】
2006266608.tif 000007